【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アップリンク制御チャネル送信のためのリソースの割り当てを、基地局からユーザ機器（ＵＥ）によって、受信することと、
前記ＵＥのために構成される１つ以上のキャリア上でクリアチャネル評価（ＣＣＡ）を、前記ＵＥによって実行することと、
前記ＵＥのために構成される前記１つ以上のキャリア上で実行された前記ＣＣＡに少なくとも部分的に基づいてアップリンク制御情報（ＵＣＩ）を、前記ＵＥで、決定することと、
前記１つ以上のキャリアから送信キャリアを、前記ＵＥによって選択することと、ここにおいて、前記選択することは、前記１つ以上のキャリアのうちの１つ以上のクリアキャリア上でクリアＣＣＡを検出することと、所定の基準に基づいて、前記送信キャリアを、前記１つ以上のクリアキャリアから選択することと、を含み、
前記割り当てられたリソースを介して、前記ＵＣＩを前記基地局に、前記ＵＥによって、送信することと、
を備える、方法。
【請求項２】
ＵＣＩのペイロードの総計のサイズは、前記ＵＥのために構成される前記１つ以上のキャリア上で実行された前記ＣＣＡに少なくとも部分的に基づいて決定される、請求項１に記載の方法。
【請求項３】
前記割り当てられたリソースを介して、ＵＣＩを前記送信するための少なくとも１つの制御チャネル形式を決定することをさらに含む、請求項１に記載の方法。
【請求項４】
前記送信することは、
２つ以上の物理リソースブロック（ＰＲＢ）ｓにわたって２つ以上のアップリンク制御チャネルメッセージを並行して送信することを含む、請求項１に記載の方法。
【請求項５】
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
をさらに含む、請求項１に記載の方法。
【請求項６】
アップリンク制御チャネル送信のためのチャネル容量を、前記ＵＥによって、決定することと、ここにおいて、前記決定することは、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を含む、
をさらに含む、請求項１に記載の方法。
【請求項７】
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することをさらに含む、請求項１に記載の方法。
【請求項８】
前記アップリンク制御チャネルの送信のために電力レベルを決定すること、ここにおいて、前記決定することは、前記割り当てられたリソースのサイズ、および前記ＵＣＩのペイロードのサイズに基づき、前記送信することは、前記決定された電力制御にしたがって実行される、
をさらに含む、請求項１に記載の方法。
【請求項９】
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
をさらに含む、請求項１に記載の方法。
【請求項１０】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項９に記載の方法。
【請求項１１】
前記ＵＣＩビットの中の１つ以上の衝突ＵＣＩタイプを検出することと、
前記１つ以上の衝突ＵＣＩタイプのうちの１つ以上の、より低いランクのＵＣＩタイプを最大容量まで前記アップリンク制御チャネル送信に多重化することと、ここにおいて、前記最大容量内で多重化されていない前記１つ以上の、より低いランクのＵＣＩタイプのうちの残りのものが、ドロップされる、
をさらに含む、請求項１に記載の方法。
【請求項１２】
２つ以上のアップリンク制御チャネルメッセージのためのいくつかのコード化ビットに、前記ＵＣＩビットのうちの１つ以上を統合してコード化すること、またはマッピングすることをさらに含む、請求項１に記載の方法。
【請求項１３】
２つ以上のアップリンク制御チャネルメッセージのためのいくつかのコード化ビットに、前記ＵＣＩビットのうちの１つ以上を別々にコード化すること、またはマッピングすることをさらに含む、請求項１に記載の方法。
【請求項１４】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項１に記載の方法。
【請求項１５】
前記１つ以上のＵＣＩビットは、前記ＵＥ上のアップリンクデータバッファのコンテンツと関連付けられる複数のＳＲビットを含む、請求項１４に記載の方法。
【請求項１６】
前記１つ以上のＵＣＩビットは、ＨＡＲＱ肯定応答情報、ＳＲ、およびＣＳＩのうちの１つ以上のための所定の順番にしたがって配置される、請求項１４に記載の方法。
【請求項１７】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、請求項１に記載の方法。
【請求項１８】
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
前記比較に基づいて前記複数の制御チャネル形式から前記制御チャネル形式を選択することと、
をさらに含む、請求項１７に記載の方法。
【請求項１９】
ワイヤレス通信の方法であって、
アップリンク制御チャネル送信のためのリソースの割り当てを、基地局からユーザ機器（ＵＥ）によって、受信することと、
少なくとも１つの制御チャネル形式にしたがって１つ以上のアップリンク制御チャネルメッセージを、前記ＵＥによって、生成することと、
複数のコンポーネントキャリア（ＣＣｓ）から、送信ＣＣを、前記ＵＥによって、選択することと、ここにおいて、前記送信ＣＣは、前記ＵＥによって検出されたクリアチャネル評価（ＣＣＡ）に基づいて選択され、前記選択することは、前記複数のＣＣｓ上でＣＣＡを実行することと、前記複数のＣＣｓのうちの１つ以上のクリアＣＣｓ上で前記クリアＣＣＡを検出することと、所定の基準に基づいて、前記送信ＣＣを、前記１つ以上のクリアＣＣｓから選択することと、を含み、
前記割り当てられたリソースを介して、前記１つ以上のアップリンク制御チャネルメッセージを、前記基地局に、前記ＵＥによって、送信することと、
を備える、方法。
【請求項２０】
アップリンク制御情報（ＵＣＩ）ビットの送信のためにスケジューリングされた複数のキャリアと関連付けられたＣＣＡ情報に少なくとも部分的に基づいてＵＣＩのペイロードを、前記ＵＥで、決定すること、ここにおいて、前記１つ以上のアップリンク制御チャネルメッセージは、前記ＵＣＩのペイロードのＵＣＩビットを含む、
をさらに備える、請求項１９に記載の方法。
【請求項２１】
前記所定の基準は、
無線リソース制御（ＲＲＣ）構成と、
ＣＣインデックスと、
のうちの１つ以上を備える、請求項１９に記載の方法。
【請求項２２】
ワイヤレス通信のために構成される装置であって、
アップリンク制御チャネル送信のためのリソースの割り当てを、基地局からユーザ機器（ＵＥ）によって、受信するための手段と、
前記ＵＥのために構成される１つ以上のキャリア上でクリアチャネル評価（ＣＣＡ）を、前記ＵＥによって実行するための手段と、
前記ＵＥのために構成される前記１つ以上のキャリア上で実行された前記ＣＣＡに少なくとも部分的に基づいてアップリンク制御情報（ＵＣＩ）を、前記ＵＥで、決定するための手段と、
前記１つ以上のキャリアから送信キャリアを、前記ＵＥによって選択するための手段と、ここにおいて、選択するための前記手段は、前記１つ以上のキャリアのうちの１つ以上のクリアキャリア上でクリアＣＣＡを検出するための手段と、所定の基準に基づいて、前記送信キャリアを、前記１つ以上のクリアキャリアから選択するための手段と、を含み、
前記割り当てられたリソースを介して、前記ＵＣＩを前記基地局に、前記ＵＥによって、送信するための手段と、
を備える、装置。
【請求項２３】
ＵＣＩのペイロードの総計のサイズは、前記ＵＥのために構成される前記１つ以上のキャリア上で実行された前記ＣＣＡに少なくとも部分的に基づいて決定される、請求項２２に記載の装置。
【請求項２４】
前記割り当てられたリソースを介した前記ＵＣＩの前記送信のための少なくとも１つの制御チャネル形式を決定するための手段をさらに含む、請求項２２に記載の装置。
【請求項２５】
送信するための前記手段は、
２つ以上の物理リソースブロック（ＰＲＢ）ｓにわたって２つ以上のアップリンク制御チャネルメッセージを並行して送信するための手段を含む、請求項２２に記載の装置。
【請求項２６】
前記少なくとも１つの制御チャネル形式、および前記割り当てられたリソースのサイズに基づいてコード化されるビットの数を決定するための手段と、
前記ＵＣＩビットを、送信のためにコード化されるビットの前記数にコード化するための手段と、
をさらに含む、請求項２２に記載の装置。
【請求項２７】
アップリンク制御チャネル送信のためのチャネル容量を、前記ＵＥによって、決定するための手段と、ここにおいて、決定するための前記手段は、
アップリンク制御チャネル送信のための２つ以上の物理リソースブロック（ＰＲＢｓ）を識別するための手段と、
前記少なくとも１つの制御チャネル形式のためのビット容量を決定するための手段と、ここにおいて、前記チャネル容量は、前記ビット容量によって乗算された前記２つ以上のＰＲＢｓにしたがって決定される、
を含む、
をさらに含む、請求項２２に記載の装置。
【請求項２８】
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化するための手段をさらに含む、請求項２２に記載の装置。
【請求項２９】
前記アップリンク制御チャネルの送信のために電力レベルを決定するための手段、ここにおいて、前記決定することは、前記割り当てられたリソースのサイズ、および前記ＵＣＩのペイロードのサイズに基づき、送信するための前記手段は、前記決定された電力制御にしたがって実行される、
をさらに含む、請求項２２に記載の装置。
【請求項３０】
２つ以上のＰＲＢｓのうちの第１のＰＲＢの中の２つ以上のアップリンク制御チャネルメッセージのうちの第１のものの送信のために、前記ＵＥによって、第１のリソースを識別するための手段と、
前記２つ以上のＰＲＢｓのうちの第２のＰＲＢの中の前記２つ以上のアップリンク制御チャネルメッセージのうちの第２のものの送信のために前記ＵＥによって、第２のリソースを識別するための手段と、ここにおいて、前記第２のリソースは、前記第１のリソースに基づいて決定される、
をさらに含む、請求項２２に記載の装置。
【請求項３１】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項３０に記載の装置。
【請求項３２】
前記ＵＣＩビットの中の１つ以上の衝突ＵＣＩタイプを検出するための手段と、
前記１つ以上の衝突ＵＣＩタイプのうちの１つ以上の、より低いランクのＵＣＩタイプを最大容量まで前記アップリンク制御チャネル送信に多重化するための手段と、ここにおいて、前記最大容量内で多重化されていない前記１つ以上の、より低いランクのＵＣＩタイプのうちの残りのものが、ドロップされる、
をさらに含む、請求項２２に記載の装置。
【請求項３３】
２つ以上のアップリンク制御チャネルメッセージのためのいくつかのコード化ビットに、前記ＵＣＩビットのうちの１つ以上を統合してコード化する、またはマッピングするための手段をさらに含む、請求項２２に記載の装置。
【請求項３４】
２つ以上のアップリンク制御チャネルメッセージのためのいくつかのコード化ビットに、前記ＵＣＩビットのうちの１つ以上を別々にコード化する、またはマッピングするための手段をさらに含む、請求項２２に記載の装置。
【請求項３５】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項２２に記載の装置。
【請求項３６】
前記１つ以上のＵＣＩビットは、前記ＵＥ上のアップリンクデータバッファのコンテンツと関連付けられる複数のＳＲビットを含む、請求項３５に記載の装置。
【請求項３７】
前記１つ以上のＵＣＩビットは、ＨＡＲＱ肯定応答情報、ＳＲ、およびＣＳＩのうちの１つ以上のための所定の順番にしたがって配置される、請求項３５に記載の装置。
【請求項３８】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、をさらに含む、請求項２２に記載の装置。
【請求項３９】
前記少なくとも１つの制御チャネル形式は、前記ＵＥによって、動的に選択され、
前記複数の制御チャネル形式の各々のためのしきい値容量を決定するための手段と、
前記ＵＣＩのペイロードのサイズを前記しきい値容量と比較するための手段と、
比較するための前記手段に基づいて前記複数の制御チャネル形式から前記制御チャネル形式を選択するための手段と、
をさらに含む、請求項３８に記載の装置。
【請求項４０】
ワイヤレス通信のために構成される装置であって、
アップリンク制御チャネル送信のためのリソースの割り当てを、基地局からユーザ機器（ＵＥ）によって、受信するための手段と、
少なくとも１つの制御チャネル形式にしたがって１つ以上のアップリンク制御チャネルメッセージを、前記ＵＥによって、生成するための手段と、
複数のコンポーネントキャリア（ＣＣｓ）から、送信ＣＣを、前記ＵＥによって、選択するための手段と、ここにおいて、前記送信ＣＣは、前記ＵＥによって検出されたクリアチャネル評価（ＣＣＡ）に基づいて選択され、選択するための前記手段は、前記複数のＣＣｓ上でＣＣＡを実行するための手段と、前記複数のＣＣｓのうちの１つ以上のクリアＣＣｓ上で前記クリアＣＣＡを検出するための手段と、所定の基準に基づいて、前記送信ＣＣを、前記１つ以上のクリアＣＣｓから選択するための手段と、を含み、
前記割り当てられたリソースを介して、前記１つ以上のアップリンク制御チャネルメッセージを、前記基地局に、前記ＵＥによって、送信するための手段と、
を備える、装置。
【請求項４１】
アップリンク制御情報（ＵＣＩ）ビットの送信のためにスケジューリングされた複数のキャリアと関連付けられたＣＣＡ情報に少なくとも部分的に基づいてＵＣＩのペイロードを、前記ＵＥで、決定するための手段、ここにおいて、前記１つ以上のアップリンク制御チャネルメッセージは、前記ＵＣＩのペイロードのＵＣＩビットを含む、
をさらに含む、請求項４０に記載の装置。
【請求項４２】
前記所定の基準は、
無線リソース制御（ＲＲＣ）構成と、
ＣＣインデックスと、
のうちの１つ以上を備える、請求項４０に記載の装置。
【請求項４３】
プログラムコードを記録した非一時的なコンピュータ可読媒体であって、前記プログラムコードは、
コンピュータに、アップリンク制御チャネル送信のためのリソースの割り当てを、基地局からユーザ機器（ＵＥ）によって、受信させるためのプログラムコードと、
前記コンピュータに、前記ＵＥのために構成される１つ以上のキャリア上でクリアチャネル評価（ＣＣＡ）を、前記ＵＥによって実行させるためのプログラムと、
前記コンピュータに、前記ＵＥのために構成される前記１つ以上のキャリア上で実行された前記ＣＣＡに少なくとも部分的に基づいてアップリンク制御情報（ＵＣＩ）を、前記ＵＥで、決定させるためのプログラムコードと、
前記コンピュータに、前記１つ以上のキャリアから送信キャリアを、前記ＵＥによって選択させるためのプログラムコードと、ここにおいて、前記コンピュータに選択させるための前記プログラムコードは、前記コンピュータに、前記１つ以上のキャリアのうちの１つ以上のクリアキャリア上でクリアＣＣＡを検出させるためのプログラムコードと、前記コンピュータに、所定の基準に基づいて、前記送信キャリアを、前記１つ以上のクリアキャリアから選択させるためのプログラムコードと、を含み、
前記コンピュータに、前記割り当てられたリソースを介して、前記ＵＣＩを前記基地局に、前記ＵＥによって、送信させるためのプログラムコードと、
を備える、非一時的なコンピュータ可読媒体。
【請求項４４】
ＵＣＩのペイロードの総計のサイズは、前記ＵＥのために構成される前記１つ以上のキャリア上で実行された前記ＣＣＡに少なくとも部分的に基づいて決定される、請求項４３に記載の非一時的なコンピュータ可読媒体。
【請求項４５】
前記コンピュータに、前記割り当てられたリソースを介した前記ＵＣＩの前記送信のための少なくとも１つの制御チャネル形式を決定させるためのプログラムコードをさらに含む、請求項４３に記載の非一時的なコンピュータ可読媒体。
【請求項４６】
前記コンピュータに送信させるための前記プログラムコードは、
前記コンピュータに、２つ以上の物理リソースブロック（ＰＲＢ）ｓにわたって２つ以上のアップリンク制御チャネルメッセージを並行して送信させるためのプログラムコード  を含む、請求項４３に記載の非一時的なコンピュータ可読媒体。
【請求項４７】
前記コンピュータに、前記少なくとも１つの制御チャネル形式、および前記割り当てられたリソースのサイズに基づいてコード化されるビットの数を決定させるためのプログラムコードと、
前記コンピュータに、前記ＵＣＩビットを、送信のためにコード化されるビットの前記数にコード化させるためのプログラムコードと、
をさらに含む、請求項４３に記載の非一時的なコンピュータ可読媒体。
【請求項４８】
前記コンピュータに、アップリンク制御チャネル送信のためのチャネル容量を、前記ＵＥによって、決定させるためのプログラムコードと、ここにおいて、前記コンピュータに決定させるための前記プログラムコードは、
前記コンピュータに、アップリンク制御チャネル送信のための２つ以上の物理リソースブロック（ＰＲＢｓ）を識別させるためのプログラムコードと、
前記コンピュータに、前記少なくとも１つの制御チャネル形式のためのビット容量を決定させるためのプログラムコードと、ここにおいて、前記チャネル容量は、前記ビット容量によって乗算された前記２つ以上のＰＲＢｓにしたがって決定される、
を含む、
をさらに含む、請求項４３に記載の非一時的なコンピュータ可読媒体。
【請求項４９】
前記コンピュータに、２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化させるためのプログラムコードをさらに含む、請求項４３に記載の非一時的なコンピュータ可読媒体。
【請求項５０】
前記コンピュータに、前記アップリンク制御チャネルの送信のために電力レベルを決定させるためのプログラムコード、ここにおいて、前記コンピュータに決定させるための前記プログラムコードは、前記割り当てられたリソースのサイズ、および前記ＵＣＩのペイロードのサイズに基づき、前記コンピュータに送信させるための前記プログラムコードは、前記決定された電力制御にしたがって実行される、
をさらに含む、請求項４３に記載の非一時的なコンピュータ可読媒体。
【請求項５１】
前記コンピュータに、２つ以上のＰＲＢｓのうちの第１のＰＲＢの中の２つ以上のアップリンク制御チャネルメッセージのうちの第１のものの送信のために、前記ＵＥによって、第１のリソースを識別させるためのプログラムコードと、
前記コンピュータに、前記２つ以上のＰＲＢｓのうちの第２のＰＲＢの中の前記２つ以上のアップリンク制御チャネルメッセージのうちの第２のものの送信のために前記ＵＥによって、第２のリソースを識別させるためのプログラムコードと、ここにおいて、前記第２のリソースは、前記第１のリソースに基づいて決定される、
をさらに含む、請求項４３に記載の非一時的なコンピュータ可読媒体。
【請求項５２】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項５１に記載の非一時的なコンピュータ可読媒体。
【請求項５３】
前記コンピュータに、前記ＵＣＩビットの中の１つ以上の衝突ＵＣＩタイプを検出させるためのプログラムコードと、
前記コンピュータに、前記１つ以上の衝突ＵＣＩタイプのうちの１つ以上の、より低いランクのＵＣＩタイプを最大容量まで前記アップリンク制御チャネル送信に多重化させるためのプログラムコードと、ここにおいて、前記最大容量内で多重化されていない前記１つ以上の、より低いランクのＵＣＩタイプのうちの残りのものが、ドロップされる、
をさらに含む、請求項４３に記載の非一時的なコンピュータ可読媒体。
【請求項５４】
前記コンピュータに、２つ以上のアップリンク制御チャネルメッセージのためのいくつかのコード化ビットに、前記ＵＣＩビットのうちの１つ以上を統合してコード化させる、またはマッピングさせるためのプログラムコードをさらに含む、請求項４３に記載の非一時的なコンピュータ可読媒体。
【請求項５５】
前記コンピュータに、２つ以上のアップリンク制御チャネルメッセージのためのいくつかのコード化ビットに、前記ＵＣＩビットのうちの１つ以上を別々にコード化させる、またはマッピングさせるためのプログラムコードをさらに含む、請求項４３に記載の非一時的なコンピュータ可読媒体。
【請求項５６】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項４３に記載の非一時的なコンピュータ可読媒体。
【請求項５７】
前記１つ以上のＵＣＩビットは、前記ＵＥ上のアップリンクデータバッファのコンテンツと関連付けられる複数のＳＲビットを含む、請求項５６に記載の非一時的なコンピュータ可読媒体。
【請求項５８】
前記１つ以上のＵＣＩビットは、ＨＡＲＱ肯定応答情報、ＳＲ、およびＣＳＩのうちの１つ以上のための所定の順番にしたがって配置される、請求項５６に記載の非一時的なコンピュータ可読媒体。
【請求項５９】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、
をさらに含む、請求項４３に記載の非一時的なコンピュータ可読媒体。
【請求項６０】
前記少なくとも１つの制御チャネル形式は、前記ＵＥによって、動的に選択され、
前記コンピュータに、前記複数の制御チャネル形式の各々のためのしきい値容量を決定させるためのプログラムコードと、
前記コンピュータに、前記ＵＣＩのペイロードのサイズを前記しきい値容量と比較させるためのプログラムコードと、
前記コンピュータに比較させるための前記プログラムコードの結果に基づいて、前記コンピュータに、前記複数の制御チャネル形式から前記制御チャネル形式を選択させるためのプログラムコードと、
をさらに含む、請求項５９に記載の非一時的なコンピュータ可読媒体。
【請求項６１】
プログラムコードを記録した非一時的なコンピュータ可読媒体であって、前記プログラムコードは、
コンピュータに、アップリンク制御チャネル送信のためのリソースの割り当てを、基地局からユーザ機器（ＵＥ）によって、受信させるためのプログラムコードと、
前記コンピュータに、少なくとも１つの制御チャネル形式にしたがって１つ以上のアップリンク制御チャネルメッセージを、前記ＵＥによって、生成させるためのプログラムコードと、
前記コンピュータに、複数のコンポーネントキャリア（ＣＣｓ）から、送信ＣＣを、前記ＵＥによって、選択させるためのプログラムコードと、ここにおいて、前記送信ＣＣは、前記ＵＥによって検出されたクリアチャネル評価（ＣＣＡ）に基づいて選択され、前記コンピュータに選択させるための前記プログラムコードは、前記コンピュータに、前記複数のＣＣｓ上でＣＣＡを実行させるためのプログラムコードと、前記コンピュータに、前記複数のＣＣｓのうちの１つ以上のクリアＣＣｓ上で前記クリアＣＣＡを検出させるためのプログラムコードと、前記コンピュータに、所定の基準に基づいて、前記送信ＣＣを、前記１つ以上のクリアＣＣｓから選択させるためのプログラムコードと、を含み、
前記コンピュータに、前記割り当てられたリソースを介して、前記１つ以上のアップリンク制御チャネルメッセージを、前記基地局に、前記ＵＥによって、送信させるためのプログラムコードと、
を備える、非一時的なコンピュータ可読媒体。
【請求項６２】
前記コンピュータに、アップリンク制御情報（ＵＣＩ）ビットの送信のためにスケジューリングされた複数のキャリアと関連付けられたＣＣＡ情報に少なくとも部分的に基づいてＵＣＩのペイロードを、前記ＵＥで、決定させるためのプログラムコード、ここにおいて、前記１つ以上のアップリンク制御チャネルメッセージは、前記ＵＣＩのペイロードのＵＣＩビットを含む、
をさらに含む、請求項６１に記載の非一時的なコンピュータ可読媒体。
【請求項６３】
前記所定の基準は、
無線リソース制御（ＲＲＣ）構成と、
ＣＣインデックスと、
のうちの１つ以上を備える、請求項６１に記載の非一時的なコンピュータ可読媒体。
【請求項６４】
ワイヤレス通信のために構成される装置であって、
少なくとも１つのプロセッサと、
前記少なくとも１つのプロセッサに結合されたメモリと、
ここにおいて、前記少なくとも１つのプロセッサは、
アップリンク制御チャネル送信のためのリソースの割り当てを、基地局からユーザ機器（ＵＥ）によって、受信することと、
前記ＵＥのために構成される１つ以上のキャリア上でクリアチャネル評価（ＣＣＡ）を、前記ＵＥによって実行することと、
前記ＵＥのために構成される前記１つ以上のキャリア上で実行された前記ＣＣＡに少なくとも部分的に基づいてアップリンク制御情報（ＵＣＩ）を、前記ＵＥで、決定することと、
前記１つ以上のキャリアから送信キャリアを、前記ＵＥによって選択することと、ここにおいて、選択するための前記少なくとも１つのプロセッサの前記構成は、前記１つ以上のキャリアのうちの１つ以上のクリアキャリア上でクリアＣＣＡを検出することと、所定の基準に基づいて、前記送信キャリアを、前記１つ以上のクリアキャリアから選択することと、を行うための前記少なくとも１つのプロセッサの構成、
前記割り当てられたリソースを介して、前記ＵＣＩを前記基地局に、前記ＵＥによって、送信することと、
を行うように構成され、
を備える、装置。
【請求項６５】
ＵＣＩのペイロードの総計のサイズは、前記ＵＥのために構成される前記１つ以上のキャリア上で実行された前記ＣＣＡに少なくとも部分的に基づいて決定される、請求項６４に記載の装置。
【請求項６６】
前記割り当てられたリソースを介した前記ＵＣＩの前記送信のための少なくとも１つの制御チャネル形式を決定するための前記少なくとも１つのプロセッサの構成をさらに含む、請求項６４に記載の装置。
【請求項６７】
送信するための前記少なくとも１つのプロセッサの前記構成は、２つ以上の物理リソースブロック（ＰＲＢ）ｓにわたって２つ以上のアップリンク制御チャネルメッセージを並行して送信するための構成を含む、請求項６４に記載の装置。
【請求項６８】
前記少なくとも１つの制御チャネル形式、および前記割り当てられたリソースのサイズに基づいてコード化されるビットの数を決定することと、
前記ＵＣＩビットを、送信のためにコード化されるビットの前記数にコード化することと、
を行うための前記少なくとも１つのプロセッサの構成をさらに含む、請求項６４に記載の装置。
【請求項６９】
アップリンク制御チャネル送信のためのチャネル容量を、前記ＵＥによって、決定すること、ここにおいて、決定するための前記少なくとも１つのプロセッサの前記構成は、
アップリンク制御チャネル送信のための２つ以上の物理リソースブロック（ＰＲＢｓ）を識別することと、
前記少なくとも１つの制御チャネル形式のためのビット容量を決定することと、ここにおいて、前記チャネル容量は、前記ビット容量によって乗算された前記２つ以上のＰＲＢｓにしたがって決定される、
を行うための前記少なくとも１つのプロセッサの構成を含む、
を行うための前記少なくとも１つのプロセッサの構成をさらに含む、請求項６４に記載の装置。
【請求項７０】
２つ以上のアップリンク制御チャネルメッセージの各々が、２つ以上の物理リソースブロック（ＰＲＢｓ）の単一のスロットの中で送信される前記２つ以上のアップリンク制御チャネルメッセージの各々の一部にのみ基づいて復号可能であるように前記２つ以上のアップリンク制御チャネルメッセージを符号化することを行うための前記少なくとも１つのプロセッサの構成をさらに含む、請求項６４に記載の装置。
【請求項７１】
前記アップリンク制御チャネルの送信のために電力レベルを決定することを行うための前記少なくとも１つのプロセッサの構成、ここにおいて、決定することを行うための前記少なくとも１つのプロセッサの前記構成は、前記割り当てられたリソースのサイズ、および前記ＵＣＩのペイロードのサイズに基づき、送信することを行うための前記少なくとも１つのプロセッサの前記構成は、前記決定された電力制御にしたがって実行される、をさらに含む、請求項６４に記載の装置。
【請求項７２】
２つ以上のＰＲＢｓのうちの第１のＰＲＢの中の２つ以上のアップリンク制御チャネルメッセージのうちの第１のものの送信のために、前記ＵＥによって、第１のリソースを識別することと、
前記２つ以上のＰＲＢｓのうちの第２のＰＲＢの中の前記２つ以上のアップリンク制御チャネルメッセージのうちの第２のものの送信のために前記ＵＥによって、第２のリソースを識別することと、ここにおいて、前記第２のリソースは、前記第１のリソースに基づいて決定される、
を行うための前記少なくとも１つのプロセッサの構成をさらに含む、請求項６４に記載の装置。
【請求項７３】
前記第２のリソースの前記決定は、
ＣＣＡロケーションと、
前記基地局のセル識別子（ＩＤ）と、
無線リソース制御（ＲＲＣ）構成と、
のうちの１つ以上にさらに依存する、請求項７２に記載の装置。
【請求項７４】
前記ＵＣＩビットの中の１つ以上の衝突ＵＣＩタイプを検出することと、
前記１つ以上の衝突ＵＣＩタイプのうちの１つ以上の、より低いランクのＵＣＩタイプを最大容量まで前記アップリンク制御チャネル送信に多重化することと、ここにおいて、前記最大容量内で多重化されていない前記１つ以上の、より低いランクのＵＣＩタイプのうちの残りのものが、ドロップされる、
を行うための前記少なくとも１つのプロセッサの構成をさらに含む、請求項６４に記載の装置。
【請求項７５】
２つ以上のアップリンク制御チャネルメッセージのためのいくつかのコード化ビットに、前記ＵＣＩビットのうちの１つ以上を統合してコード化する、またはマッピングすることを行うための前記少なくとも１つのプロセッサの構成をさらに含む、請求項６４に記載の装置。
【請求項７６】
２つ以上のアップリンク制御チャネルメッセージのためのいくつかのコード化ビットに、前記ＵＣＩビットのうちの１つ以上を別々にコード化する、またはマッピングすることを行うための前記少なくとも１つのプロセッサの構成をさらに含む、請求項６４に記載の装置。
【請求項７７】
前記ＵＣＩは、
ハイブリッド自動再送要求（ＨＡＲＱ）肯定応答情報と、
スケジューリング要求（ＳＲ）と、
チャネルステート情報（ＣＳＩ）と、
のうちの１つ以上を含む、請求項６４に記載の装置。
【請求項７８】
前記１つ以上のＵＣＩビットは、前記ＵＥ上のアップリンクデータバッファのコンテンツと関連付けられる複数のＳＲビットを含む、請求項７７に記載の装置。
【請求項７９】
前記１つ以上のＵＣＩビットは、ＨＡＲＱ肯定応答情報、ＳＲ、およびＣＳＩのうちの１つ以上のための所定の順番にしたがって配置される、請求項７７に記載の装置。
【請求項８０】
前記割り当てられたリソースの中に２つ以上のアップリンク制御チャネルメッセージ、ここで、前記少なくとも１つの制御チャネル形式の２つ以上の異なるものは、同じサブフレームの中の前記２つ以上のアップリンク制御チャネルメッセージのために使用される、
をさらに含む、請求項６４に記載の装置。
【請求項８１】
前記少なくとも１つの制御チャネル形式は、前記ＵＥによって、動的に選択され、
前記複数の制御チャネル形式の各々のためのしきい値容量を決定することと、
前記ＵＣＩのペイロードのサイズを前記しきい値容量と比較することと、
比較することを行うための前記少なくとも１つのプロセッサの前記構成の結果に基づいて前記複数の制御チャネル形式から前記制御チャネル形式を選択することと、
を行うための前記少なくとも１つのプロセッサの構成をさらに含む、請求項８０に記載の装置。
【請求項８２】
ワイヤレス通信のために構成される装置であって、
少なくとも１つのプロセッサと、
前記少なくとも１つのプロセッサに結合されたメモリと、
ここにおいて、前記少なくとも１つのプロセッサは、
アップリンク制御チャネル送信のためのリソースの割り当てを、基地局からユーザ機器（ＵＥ）によって、受信することと、
少なくとも１つの制御チャネル形式にしたがって１つ以上のアップリンク制御チャネルメッセージを、前記ＵＥによって、生成することと、
複数のコンポーネントキャリア（ＣＣｓ）から、送信ＣＣを、前記ＵＥによって、選択することと、ここにおいて、前記送信ＣＣは、前記ＵＥによって検出されたクリアチャネル評価（ＣＣＡ）に基づいて選択され、選択するための前記少なくとも１つのプロセッサの前記構成は、前記複数のＣＣｓ上でＣＣＡを実行することと、前記複数のＣＣｓのうちの１つ以上のクリアＣＣｓ上で前記クリアＣＣＡを検出することと、所定の基準に基づいて、前記送信ＣＣを、前記１つ以上のクリアＣＣｓから選択することと、を行うための前記少なくとも１つのプロセッサの構成を含み、
前記割り当てられたリソースを介して、前記１つ以上のアップリンク制御チャネルメッセージを、前記基地局に、前記ＵＥによって、送信することと、
を行うように構成され、
を備える、装置。
【請求項８３】
アップリンク制御情報（ＵＣＩ）ビットの送信のためにスケジューリングされた複数のキャリアと関連付けられたＣＣＡ情報に少なくとも部分的に基づいてＵＣＩのペイロードを、前記ＵＥで、決定することを行うための前記少なくとも１つのプロセッサの構成、ここにおいて、前記１つ以上のアップリンク制御チャネルメッセージは、前記ＵＣＩのペイロードのＵＣＩビットを含む、をさらに含む、請求項８２に記載の装置。
【請求項８４】
前記所定の基準は、
無線リソース制御（ＲＲＣ）構成と、
ＣＣインデックスと、
のうちの１つ以上を備える、請求項８３に記載の装置。